(57)【要約】      （修正有）【課題】構造が簡単で重量が軽く、しかもエンボスキャリアテープを傷めることがなく、更に物品の輸送コストを大幅に削減できるようにする。【解決手段】箱形のケース本体１と、ケース本体１内に収容された左右一対のリール２・３と、一端が一方のリール２に接続され、他端が他方のリール３に接続されたエンボスキャリアテープ４とを有する物品収容用カセットＡであって、エンボスキャリアテープ４は、長さ方向に一定間隔をあけて多数の物品収容用凹部５が形成されたテープ本体と、テープ本体の両側縁部または片側縁部に延長状に且つ折り畳み自在に設けられたフラップ７とを有し、フラップ７は物品収容用凹部５における開口部の全部または一部を閉止して物品収容用凹部５内に物品を保持し得る幅となされている。【選択図】図１
2010235202.tif 000002
【特許請求の範囲】
【請求項１】
箱形のケース本体と、ケース本体内に収容された左右一対のリールと、一端が一方のリールに接続され、他端が他方のリールに接続されたエンボスキャリアテープとを有する物品収容用カセットであって、エンボスキャリアテープは、長さ方向に一定間隔をあけて多数の物品収容用凹部が形成されたテープ本体と、テープ本体の両側縁部または片側縁部に延長状に且つ折り畳み自在に設けられたフラップとを有し、フラップは物品収容用凹部における開口部の全部または一部を閉止して物品収容用凹部内に物品を保持し得る幅となされ、且つフラップは、エンボスキャリアテープが一方のリールから他方のリールへ巻き取られる際に折り畳まれ、巻き取られる途中では該部に設けられたフラップ開手段によって開けられるようになされ、該開位置におけるケース本体には物品出し入れ用開口部が形成されている、物品収容用カセット。
【請求項２】
ケース本体が大小に二分割され、その大型ケース部材の一側開口部に他方の小型ケース部材が進入自在となされ、小型ケース部材における大型ケース部材側面には前記一側開口部と対向する開口部が形成されており、両ケース部材にはそれぞれ一つずつリールが取り付けられ、小型ケース部材における開口部側縁から内方にかけて大型ケース部材のリール巻芯進入用切欠きが形成されている、請求項１記載の物品収容用カセット。
【請求項３】
ケース本体が大小に二分割され、その大型ケース部材の一側開口部に他方の小型ケース部材が進入自在となされ、小型ケース部材における大型ケース部材側面には前記一側開口部と対向する開口部が形成されており、両ケース部材にはそれぞれ一つずつリールが取り付けられ、且つ一方のリールの巻芯がそのケース部材における対向する側壁に形成された長孔内を摺動自在となされ、小型ケース部材の側壁における開口部側縁から内方にかけて大型ケース部材のリール巻芯進入用切欠きが形成されている、請求項１記載の物品収容用カセット。
【請求項４】
ケース本体が大小に二分割され、その大型ケース部材の一側開口部に他方の小型ケース部材が進入自在となされ、小型ケース部材における大型ケース部材側面にはその一側開口部と対向する開口部が形成されており、両ケース部材にはそれぞれ一つずつリールが取り付けられ、且つこれらリールの巻芯が両ケース部材における対向する側壁に形成された長孔内を摺動自在となされ、小型ケース部材の長孔が形成された側壁における開口部側縁から内方にかけて大型ケース部材のリール巻芯進入用切欠きが形成されている、請求項１記載の物品収容用カセット。
【請求項５】
エンボスキャリアテープがテープ本体の片側縁部にフラップを有し、フラップ開手段が、少なくともフラップの内面と当接する垂下壁と、垂下壁の上縁から外方へ伸びる水平壁とを有する略アングル状部材である、請求項１〜請求項４のうちのいずれか一項記載の物品収容用カセット。
【請求項６】
エンボスキャリアテープのテープ本体を上方から押える水平壁を少なくとも有するテープ押え部材を更に備え、該押え部材にはケース本体の物品出し入れ用開口部と対向する物品出し入れ用窓部が形成された、請求項５記載の物品収容用カセット。
【請求項７】
エンボスキャリアテープがテープ本体の両側縁部にフラップを有し、フラップ開手段が、各フラップの内面と当接する一対の垂下壁と、各垂下壁の上縁から外方へ伸びる水平壁と、両垂下壁の下縁間に形成され、テープ本体を上方から押えるテープ押え部とを有する略凹形部材であって、押え部にはケース本体の物品出し入れ用開口部と対向する物品出し入れ用窓部が形成された、請求項１〜請求項４のうちのいずれか一項記載の物品収容用カセット。
【発明の詳細な説明】
【技術分野】
【０００１】
本発明は、電子部品や精密機械部品などの各種物品を多数収容するエンボスキャリアテープを内蔵した物品収容用カセットに関する。
【背景技術】
【０００２】
エンボスキャリアテープは、通常、長さ方向に一定間隔をあけて多数の物品収容用凹部が形成されたテープ本体と、テープ本体の上面側に接着されて、前記物品収容用凹部を閉止するカバーテープとで構成されている。そして、かかるエンボスキャリアテープは、そのテープ本体における各凹部に電子部品等の物品を入れた後、テープ本体の上面にカバーテープを接着することにより物品の装填を行うものである。
【０００３】
また、カバーテープを用いないエンボスキャリアテープを内蔵したカセットも知られている。
【０００４】
すなわち、前記カセットは、全体が箱形であって、その内部における一側半部に巻取り空室が形成され、他側半部には前記巻取り空室から伸びる螺旋形の溝状移動経路が形成されており、前記巻取り空室に設けられた巻取り軸から移動経路へエンボスキャリアテープを繰り出したり、または移動経路から巻取り軸へエンボスキャリアテープを巻き取ることによって、エンボスキャリアテープからの部品の供給やエンボスキャリアテープへの部品の装填を行うようにしたものである。
【先行技術文献】
【特許文献】
【０００５】
【特許文献１】特開平７−２４９８９３号公報
【発明の概要】
【発明が解決しようとする課題】
【０００６】
前述した構造のカセットによれば、エンボスキャリアテープの再利用が行えるが、前記カセットの場合、構造が複雑で重い上、部品の供給並びに装填の際にエンボスキャリアテープが移動経路内のガイド壁面を摺動することとなるため、エンボスキャリアテープが磨耗して傷み易いという問題があった。
【０００７】
本発明は、構造が簡単で重量が軽く、しかもエンボスキャリアテープを傷めることがない物品収容用カセットを提供することにある。
【課題を解決するための手段】
【０００８】
請求項１記載の本発明は、箱形のケース本体と、ケース本体内に収容された左右一対のリールと、一端が一方のリールに接続され、他端が他方のリールに接続されたエンボスキャリアテープとを有する物品収容用カセットであって、エンボスキャリアテープは、長さ方向に一定間隔をあけて多数の物品収容用凹部が形成されたテープ本体と、テープ本体の両側縁部または片側縁部に延長状に且つ折り畳み自在に設けられたフラップとを有し、フラップは物品収容用凹部における開口部の全部または一部を閉止して物品収容用凹部内に物品を保持し得る幅となされ、且つフラップは、エンボスキャリアテープが一方のリールから他方のリールへ巻き取られる際に折り畳まれ、巻き取られる途中では該部に設けられたフラップ開手段によって開けられるようになされ、該開位置におけるケース本体には物品出し入れ用開口部が形成されている物品収容用カセットである。
【０００９】
請求項２記載の本発明は、前記請求項１記載の物品収容用カセットについて、ケース本体が大小に二分割され、その大型ケース部材の一側開口部に他方の小型ケース部材が進入自在となされ、小型ケース部材における大型ケース部材側面には前記一側開口部と対向する開口部が形成されており、両ケース部材にはそれぞれ一つずつリールが取り付けられ、小型ケース部材における開口部側縁から内方にかけて大型ケース部材のリール巻芯進入用切欠きが形成されていることを特徴とするものである。
【００１０】
請求項３記載の本発明は、前記請求項１記載の物品収容用カセットについて、ケース本体が大小に二分割され、その大型ケース部材の一側開口部に他方の小型ケース部材が進入自在となされ、小型ケース部材における大型ケース部材側面には前記一側開口部と対向する開口部が形成されており、両ケース部材にはそれぞれ一つずつリールが取り付けられ、且つ一方のリールの巻芯がそのケース部材における対向する側壁に形成された長孔内を摺動自在となされ、小型ケース部材の側壁における開口部側縁から内方にかけて大型ケース部材のリール巻芯進入用切欠きが形成されていることを特徴とするものである。
【００１１】
請求項４記載の本発明は、前記請求項１記載の物品収容用カセットについて、ケース本体が大小に二分割され、その大型ケース部材の一側開口部に他方の小型ケース部材が進入自在となされ、小型ケース部材における大型ケース部材側面には前記一側開口部と対向する開口部が形成されており、両ケース部材にはそれぞれ一つずつリールが取り付けられ、且つこれらリールの巻芯が両ケース部材における対向する側壁に形成された長孔内を摺動自在となされ、小型ケース部材の長孔が形成された側壁における開口部側縁から内方にかけて大型ケース部材のリール巻芯進入用切欠きが形成されているものである。
【００１２】
請求項５記載の本発明は、前記請求項１〜請求項４記載のうちのいずれか一項記載の物品収容用について、エンボスキャリアテープがテープ本体の片側縁部にフラップを有し、フラップ開手段が、少なくともフラップの内面と当接する垂下壁と、垂下壁の上縁から外方へ伸びる水平壁とを有する略アングル状部材であることを特徴とするものである。
【００１３】
請求項６記載の本発明は、前記請求項５記載の物品収容用カセットについて、エンボスキャリアテープのテープ本体を上方から押える水平壁を少なくとも有するテープ押え部材を更に備え、該押え部材にはケース本体の物品出し入れ用開口部と対向する物品出し入れ用窓部が形成されたことを特徴とするものである。
【００１４】
請求項７記載の本発明は、前記請求項１〜請求項４のうちのいずれか一項記載の物品収容用について、エンボスキャリアテープがテープ本体の両側縁部にフラップを有し、フラップ開手段が、各フラップの内面と当接する一対の垂下壁と、各垂下壁の上縁から外方へ伸びる水平壁と、両垂下壁の下縁間に形成され、テープ本体を上方から押えるテープ押え部とを有する略凹形部材であって、押え部にはケース本体の物品出し入れ用開口部と対向する物品出し入れ用窓部が形成されたことを特徴とするものである。なお、前述したいずれの垂下壁も下方へ垂直に伸びる場合の他、左右いずれか斜め方向へ伸びる場合もある。
【発明の効果】
【００１５】
本発明のカセットによれば、一方のリールから他方のリールへエンボスキャリアテープが巻き取られる途中でフラップ開手段によりエンボスキャリアテープのフラップが開いて該テープにおける物品収容用凹部が完全に開放された状態となり、この状態で物品収容用凹部内へ物品を装填したり、或いは装填した物品を取り出すことができるため、物品の装填および供給が行える。
【００１６】
そして、前記物品の装填は、当該カセットを物品の製造工場に運び入れて行い、その後、物品が装填されたカセットを物品の使用工場に運んで物品の供給を行い、その後、該カセットを物品の製造工場に再び運び入れて物品の再装填を行うことができる。したがって、フラップを有するエンボスキャリアテープを内蔵した本発明のカセットは繰り返し使用が可能である。
【００１７】
しかも、本発明のカセットは、前述した通り、構造が簡単で内部に従来のカセットのような溝状移動経路を設ける必要もないため、重量的にも軽くて取り扱いや搬送にも好適である。
【００１８】
更に、ケース本体を大小に二分割し、その大型ケース部材の一側開口部に他方の小型ケース部材が進入自在となされた本発明のカセットによれば、ケース本体の大きさをほぼ半分にすることができるため、輸送効率を大幅に高めることができ、輸送コストの削減も図れるという利点がある。
【図面の簡単な説明】
【００１９】
【図１】実施形態１に係るカセットの一部切欠正面図である。
【図２】同実施形態に係るカセットの横断面図である。
【図３】同実施形態に係るカセットの平面図である。
【図４】同実施形態におけるベース部の拡大断面図である。
【図５】実施形態２に係るカセットの一部切欠正面図である。
【図６】同実施形態に係るカセットの横断面図である。
【図７】同実施形態に係るカセットの平面図である。
【図８】同実施形態におけるベース部の拡大断面図である。
【図９】実施形態３に係るカセットの正面図である。
【図１０】同実施形態のカセットにおいて、テープが下側リールに巻かれた状態を示す正面図である。
【図１１】同実施形態のカセットにおいて、小型ケース部材が大型ケース部材内に収容された状態を示す正面図である。
【図１２】図９および図１０の状態におけるカセットの平面図である。
【図１３】同実施形態のカセットの側面図である。
【図１４】図１１におけるＢ−Ｂ線断面図である。
【図１５】図９におけるＡ−Ａ線断面図である。
【発明を実施するための形態】
【００２０】
次に、本発明の実施形態を図面にしたがって説明するが、本発明はかかる実施形態に限定されるものではない。
【００２１】
（実施形態１）
【００２２】
図１〜図４に示すように、物品収容用カセットＡは、箱形のケース本体１と、ケース本体１内に収容された左右一対のリール２・３と、一端が左側のリール２に接続され、他端が右側のリール３に接続されたエンボスキャリアテープ４とを有するものであって、エンボスキャリアテープ４は、長さ方向に一定間隔をあけて多数の物品収容用凹部５が形成されたテープ本体６と、テープ本体６の片側縁部に延長状に且つ折り畳み自在に設けられたフラップ７とを有し、フラップ７は物品収容用凹部５における開口部５ａの全部を閉止して物品収容用凹部５内に物品Ｐを保持し得る幅となされ、且つフラップ７は、エンボスキャリアテープ４が一方のリール２・３から他方のリール２・３へ巻き取られる際に折り畳まれ、巻き取られる途中では該部に設けられたフラップ開手段としてのアングル状部材８によって起立するようになされ、該起立位置におけるケース本体１には物品出し入れ用開口部９が形成されているものである。
【００２３】
なお、前記フラップ７を折り畳み自在とする手段としては、例えば、テープ本体６とフラップ７の境界部分に溝を設けることが挙げられる。
【００２４】
ケース本体１は、正面から見て横長方形であって、厚さ方向に二分割された半体Ａ１・Ａ２で構成され、半体Ａ１・Ａ２同士は対応するビス穴２０にビス２１を嵌入することで合体されている。ケース本体１における上部中央にはベース部１１が一体に形成され、ベース部１１上にエンボスキャリアテープ４が水平に支持されている。更に、ケース本体１におけるリール２・３の上方にはピンローラ１０が設けられている。
【００２５】
リール２・３は、中央の筒状巻芯２ａ・３ａとその両端に一体に形成されたフランジ２ｂ・３ｂとで構成され、筒状巻芯２ａ・３ａの内周にはリール２・３を駆動させる駆動軸（図示せず）が嵌め入れられるようになされている。
【００２６】
エンボスキャリアテープ４におけるフラップ７と反対側の縁部には一定間隔をあけて透孔１２が形成され、該透孔１２にピンローラ１０のピン１０ａが嵌入される。
【００２７】
エンボスキャリアテープ４は、そのテープ本体６が水平壁状のテープ押え部材１３によって上方から押えられると共に、アングル状部材８の垂下壁８ａがエンボスキャリアテープ４のフラップ７内面と当接することで該フラップ７が起立するようになされている。
【００２８】
図３に示すように、テープ押え部材１３は、平面から見て方形であって、二本の皿ビス１４によってベース部１１上に固定され、中央にはケース本体１の物品出し入れ用開口部９と対向する物品出し入れ用窓部１８が形成されている。そして、物品出し入れ用窓部１８を介して物品Ｐがエンボスキャリアテープ４の物品収容用凹部５内へ収容されたり、逆に該凹部５から取り出されたりするのである。
【００２９】
また、アングル状部材８も前述したテープ押え部材１３と同様、二本の皿ビス１４によってベース部１１上に固定されている。
【００３０】
なお、図中１ａはケース本体１における一方の半体Ａ１に形成された円形孔であって、該部に、リール２・３における巻芯２ａ・３ａから延長状に突設されたリング状凸部１５が回動自在に嵌め入れられている。
【００３１】
次に、本実施形態に係る物品収容用カセットＡの使用要領について説明すると、図１において、左側のリール２から右側のリール３へエンボスキャリアテープ４が巻き取られる際、その途中で、該テープ４におけるフラップ７がアングル状部材８によって起立すると共に物品収容用凹部５の開口部５ａが開放状態となり、該開口部５ａにテープ押え部材１３の物品出し入れ用窓部１８を介して物品Ｐが凹部５内へ供給される。そして、この物品Ｐの装填は、物品の製造工場等の製造場所で行われる。
【００３２】
一方、右側のリール３から左側のリール２へエンボスキャリアテープ４が巻き取られる際には、その途中で、該テープ４におけるフラップ７がアングル状部材８によって起立すると共に物品収容用凹部５の開口部５ａが開放状態となり、該開口部５ａでは、テープ押え部材１３の物品出し入れ用窓部１８を介して物品Ｐが凹部５から取り出される。そして、この物品Ｐの取り出しは、前記物品Ｐの装填済のカセットＡが搬入された物品Ｐの使用場所で行われる。
【００３３】
また、物品Ｐの取り出し後においては、カセットＡが回収されて再び物品Ｐの製造場所へ戻されて物品Ｐの再装填が行われるため、カセットＡの繰り返し使用が可能である。また、この繰り返し使用によって、カセットＡ内のエンボスキャリアテープ４が傷んだ場合には、ケース本体１を開けてエンボスキャリアテープ４の交換を行うこともできる。
【００３４】
（実施形態２）
【００３５】
図５〜図８に示すように、本実施形態は、前記実施形態１と基本的な構成が同一である。すなわち、物品収容用カセットＢは、箱形のケース本体３１と、ケース本体３１内に収容された左右一対のリール３２・３３と、一端が左側のリール３２に接続され、他端が右側のリール３３に接続されたエンボスキャリアテープ３４とを有するものである。
【００３６】
本実施形態では、エンボスキャリアテープ３４は、長さ方向に一定間隔をあけて多数の物品収容用凹部３５が形成されたテープ本体３６と、テープ本体３６の両側縁部に延長状に且つ折り畳み自在に設けられたフラップ３７とを有し、両フラップ３７は物品収容用凹部３５の開口部３５ａにおける中央部分を除く部分を閉止して物品収容用凹部３５内に物品Ｐを保持し得る幅となされ、且つ両フラップ３７は、エンボスキャリアテープ３４が一方のリール３２・３３から他方のリール３２・３３へ巻き取られる際に折り畳まれ、巻き取られる途中では該部に設けられたフラップ開手段としての略凹形部材３８によって起立するようになされ、該起立位置におけるケース本体３１には物品出し入れ用開口部３９が形成されているものである。
【００３７】
略凹形部材３８は、両フラップ３７の内面と当接する一対の垂下壁３８ａと、各垂下壁３８ａの上縁から外方へ伸びる水平壁３８ｂと、両垂下壁３８ａの下縁間に形成され、テープ本体３６を上方から押えるテープ押え部３８ｃとで構成されている。また、テープ押え部３８ｃには物品出し入れ用開口部３９と対向する物品出し入れ用窓部４８が形成されている。
【００３８】
また略凹形部材３８はベース部４１上に載置され、水平壁３８ｂが皿ビス４０によって固定された構造となされている。
【００３９】
以上要するに、本実施形態の物品収容用カセットＢは、その要部において、実施形態１と異なる点として、エンボスキャリアテープ３４が両側フラップ３７を有すると共に、これに対応してベース部４１上に略凹形部材３８が固定されていることが挙げられる。
【００４０】
なお、前記いずれの実施形態でもエンボスキャリアテープ４・３４に透孔１２が形成されているが、これを設けない場合もある。
【００４１】
前述したいずれの実施形態においても、リール２・３・３２・３３は、フランジを有する形態となされていたが、フランジを有しない巻芯のみの構造とすることもある。
【００４２】
（実施形態３）
【００４３】
図９〜図１５に示すように、物品収容用カセットＣは、箱形のケース本体５１と、ケース本体５１内に収容された上下一対のリール５２・５３と、一端が上側のリール５２に接続され、他端が下側のリール５３に接続された実施形態２と同様のエンボスキャリアテープ５４を有するものである。
【００４４】
本実施形態３では、ケース本体５１が上下方向に大小二分割され、上位の大型ケース部材５１Ａの下側開口部６６に下位の小型ケース部材５１Ｂが進入自在となされ、小型ケース部材５１Ｂには上位の大型ケース部材５１Ａの下側開口部６６と向かい合う上側開口部６７が形成されており、そして、大型ケース部材５１Ａに上側リール５２が取り付けられ、小型ケース部材５１Ｂに下側リール５３が取り付けられ、且つこれらリール５２・５３の巻芯５２ａ・５３ａが、両ケース部材５１Ａ・５１Ｂにおける対向する前後壁５６・５７の幅中央に形成された長孔５８・５９内に摺動自在に嵌め入れられている。また、小型ケース部材５１Ｂの前後壁５７における上側開口部６７側縁からその内方にかけて大型ケース部材５１Ａのリール巻芯進入用切欠き６１が形成されているものである。
【００４５】
また本実施形態では、大型ケース部材５１Ａ内における左右の上隅部分にエンボスキャリアテープ５４のガイドローラ６２・６３が軸支され、大型ケース部材５１Ａ内のリール５２から出たテープ５４はガイドローラ６２・６３を経由して小型ケース部材５１Ｂ内のリール５３へ至る構造となされている。
【００４６】
更に、本実施形態では、大型ケース部材５１Ａの上側面に物品出し入れ用開口部６４が形成され、該開口部６４内には、実施形態２と同様のフラップ開手段としての略凹形部材６５が取り付けられている。
【００４７】
図１３に示すように、小型ケース部材５１Ｂの左右側面における外面上端中央には係合突起６８が形成され、大型ケース部材５１Ａの左右側面には、前記小型ケース部材５１Ｂの係合突起６８が摺動自在に嵌め入れられるスリット６９が形成されている。したがって、該スリット６９内を係合突起６８が摺動することにより、大型ケース部材５１Ａ内を小型ケース部材５１Ｂが安定的にスライド移動することとなる。
【００４８】
次に、本実施形態におけるカセットの使用要領について説明すると、図９に示すように、エンボスキャリアテープ５４内に電子部品等の物品を装填したり、逆に装填した物品をエンボスキャリアテープ５４から取り出す場合には、大型ケース部材５１Ａの長孔５８の下端にリール５２を位置させると共に、小型ケース部材５１Ｂの長孔５９の上端にリール５３を位置させることにより、両ケース部材５１Ａ・５１Ｂ内において、位置的に両リール５２・５３の巻き取り可能量を最大とした上、大型ケース部材５１Ａから小型ケース部材５１Ｂが下限位置まで下がった状態とする。
【００４９】
そして、この状態で例えば、リール５２からリール５３へテープ５４の巻き取りを行って、図１０に示すように、テープ５４がリール５２からリール５３へ完全に巻き取られた後には、図１１に示すように、小型ケース部材５１Ｂを大型ケース部材５１Ａ内に収容する。この際、大型ケース部材５１Ａ内のリール５２が小型ケース部材５１Ｂに巻かれたテープ５４の外周と当接しないように、リール５２を長孔５８の上端に位置せしめる。また、逆にリール５２にテープ５４が完全に巻かれた状態で小型ケース部材５１Ｂを大型ケース部材５１Ａ内に収容する場合には、小型ケース部材５１Ｂ内のリール５３を長孔５９の下端に位置させるのである（図示せず）。
【００５０】
そして、前述した小型ケース部材５１Ｂを大型ケース部材５１Ａ内に収容した状態では、当該カセット５１の大きさが半減するため、この状態で輸送を行えば、そのコストが半減される。
【００５１】
なお、本実施形態においては、両リール５２・５３は、それらの各巻芯５２ａ・５３ａに、モータ等により回転する駆動軸が挿入されて回転される。また、本実施形態において、大型ケース部材５１Ａ内の左右上隅部にガイドローラ６２・６３が設けられているが、ガイドローラの数および位置は必要に応じて適宜変更される。更に、本実施形態では、ケース本体５１は、上下方向に二分割された大型ケース部材５１Ａと小型ケース部材５１Ｂとで構成されているが、ケース本体が左右方向に二分割された構造としても良い。また、この他、前記長孔５８・５９は、いずれか一方のみが形成される場合もあるし、両方とも省略される場合もある。
【産業上の利用可能性】
【００５２】
本発明に係る物品収容用カセットは、繰り返し使用が可能であるため、電子部品等の物品供給にあたって大幅なコストダウンと資源の有効利用が図られ、更に輸送コストの削減も可能であるため、幅広い利用が期待できる。
【符号の説明】
【００５３】
１    物品収容用カセット
２・３    リール
４  エンボスキャリアテープ
５  物品収容用凹部
６  テープ本体
７  フラップ
８  アングル状部材
【図１】
2010235202.tif 000003
【図２】
2010235202.tif 000004
【図３】
2010235202.tif 000005
【図４】
2010235202.tif 000006
【図５】
2010235202.tif 000007
【図７】
2010235202.tif 000008
【図９】
2010235202.tif 000009
【図１０】
2010235202.tif 000010
【図１１】
2010235202.tif 000011
【図１２】
2010235202.tif 000012
【図１３】
2010235202.tif 000013
【図１４】
2010235202.tif 000014
【図１５】
2010235202.tif 000015
【図６】
2010235202.tif 000016
【図８】
2010235202.tif 000017